【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
出口と、
医薬を含む複数の密閉区画と、
無負荷位置に向かって付勢される付勢位置を有し、該付勢位置から前記無負荷位置への移動の際に、前記出口に位置合わせされた密閉区画を開放する、開放機構と、
前記区画を前記出口に順次位置合わせするためのインデックス機構であって、前記開放機構が前記無負荷位置から前記付勢位置に移動した後に次の区画を前記出口に位置合わせするように適合されている、インデックス機構と、
前記開放機構を前記付勢位置にラッチする第１の位置と、前記開放機構が前記無負荷位置になるのを許容する第２の位置とを有するラッチであって、流路を通る吸入気流が前記ラッチを前記第１の位置から前記第２の位置に移動させるように少なくとも部分的に前記流路に配置され、前記インデックス機構が次の区画を前記出口に位置合わせするまでは前記第１の位置へ戻ることができない、ラッチと、
を備える、吸入器。
【請求項２】
前記ラッチが前記第１の位置に達するのを防止する防止位置と、前記ラッチが前記第１の位置に到達するのを許容する解除位置とを有するキャッチを備え、前記キャッチが、前記インデックス機構に接続され、前記インデックス機構と共に移動可能である、請求項１に記載の吸入器。
【請求項３】
前記出口を交互に閉鎖および開放するための移動可能な出口カバーと、
前記出口カバーに接続され、前記出口カバーと共に移動可能な機械シーケンスアセンブリと、を備え、
前記出口カバーの前記閉鎖動作または前記開放動作のいずれか一方が行われると、前記接続された機械シーケンスアセンブリにより、前記開放機構が該開放機構の付勢位置に到達し、次いで前記インデックス機構が次の区画を前記出口に位置合わせする、請求項１または２に記載の吸入器。
【請求項４】
前記機械シーケンスアセンブリは、
前記開放機構を該開放機構の無負荷位置から該開放機構の付勢位置に移動させるように適合された第１の力伝達部材と、
前記インデックス機構に次の区画を前進させて前記出口に位置合わせさせるように適合された第２の力伝達部材と、
前記開放機構が該開放機構の付勢位置に達するまで前記第２の力伝達部材の作用に一時的に反作用する反作用部材と、を備える、請求項３に記載の吸入器。
【請求項５】
前記開放機構は第１のばねを備え、前記第１の力伝達部材は、前記開放機構を前記第１のばねの力に逆らって押圧して、前記開放機構を前記付勢位置にする、請求項４に記載の吸入器。
【請求項６】
前記インデックス機構は、
前記区画を前進させるための駆動部材と、
前記駆動部材に接続された第２のばねと、を備え、
前記第２の力伝達部材が、前記反作用部材が前記区画の移動を一時的に防止している間、前記第２のばねを付勢するように適合されている、請求項４または５に記載の吸入器。
【請求項７】
前記機械シーケンスアセンブリはトラックを備え、
前記反作用部材は、
前記区画の移動を防止するように適合されたブレーキと、
前記機械シーケンスアセンブリが前記出口カバーの動作に応答して移動するときに前記トラック内を移動する、前記ブレーキに接続された従動節と、を備え、
前記従動節が解放点に達すると、前記接続されたブレーキが解放されるため、前記駆動部材を介した前記付勢された第２のばねによる力の結果として前記区画の移動が可能となる、請求項６に記載の吸入器。
【請求項８】
前記キャッチが前記駆動部材に接続されており、
前記反作用部材が前記区画の移動を防止するときは、前記キャッチが該キャッチの防止位置に維持されていて、
前記駆動部材が前記区画を移動させることができるときは、前記キャッチが該キャッチの解除位置に移動している、請求項２を引用する請求項６または７に記載の吸入器。
【請求項９】
前記ラッチは第１の要素と第２の要素とを備え、
前記第１の要素は前記開放機構に接続され、
前記第２の要素は、
前記第１の要素を固定して前記開放機構が前記無負荷位置に移動するのを防止する支持位置と、
前記第１の要素が移動可能であることにより、前記付勢された開放機構の前記無負荷位置への移動を可能にする非支持位置とを有し、
前記第２の要素は、前記吸入気流に応答して前記非支持位置に移動可能であり、
前記キャッチは、該キャッチの防止位置において、前記第１の要素が前記第２の要素に支持されるのを防げる、請求項２に記載または請求項２を引用する請求項３〜８のいずれか一項に記載の吸入器。
【請求項１０】
前記医薬を含む複数の密閉区画を有するベースであって、前記区画が前記ベースのキャビティの形態である、ベースと、
２つの面を有し、一方の面が、それぞれのキャビティ内に医薬を密閉するために前記ベースに取り付けられている、複数のホイル部と、
複数の分離要素であって、各分離要素が、前記ホイル部を前記キャビティから分離するためにそれぞれのホイル部の他方の面に取り付けられている、複数の分離要素と、を備え、
前記開放機構は、前記分離要素に係合して前記分離要素をキャビティから分離することが可能なアクチュエータを備えている、請求項１〜９のいずれか一項に記載の吸入器。
【請求項１１】
前記医薬は、
モメタゾン、臭化イプラトロピウム、チオトロピウムおよびその塩、サルメテロール、プロピオン酸フルチカゾン、ジプロピオン酸ベクロメタゾン、レプロテロール、クレンブテロール、ロフレポニドおよび塩、ネドクロミル、クロモグリク酸ナトリウム、フルニソリド、ブデソニド、フマル酸ホルモテロール二水和物、テルブタリン、硫酸テルブタリン、サルブタモール塩基および硫酸サルブタモール、フェノテロール、３−［２−（４−ヒドロキシ−２−オキソ−３Ｈ−１，３−ベンゾチアゾール−７−イル）エチルアミノ］−Ｎ−［２−［２−（４−メチルフェニル）エトキシ］エチル］プロパン−スルホンアミド、塩酸塩、インダカテロール、臭化アクリジニウム、Ｎ−［２−（ジエチルアミノ）エチル］−Ｎ−（２−｛［２−（４−ヒドロキシ−２−オキソ−２，３−ジヒドロ−１，３−ベンソチアゾール−７−イル）エチル］アミノ｝エチル）−３−［２−（１−ナフチル）エトキシ］プロパンアミド、またはその薬学的に許容され得る塩（例えば、二臭化水素酸塩）、
Ｎ−シクロヘキシル−Ｎ３−［２−（３−フルオロフェニル）エチル］−Ｎ−（２−｛［２−（４−ヒドロキシ−２−オキソ−２，３−ジヒドロ−１，３−ベンゾチアゾール−７−イル）エチル］アミノ｝エチル）−β−アラニンアミド、またはその薬学的に許容され得る塩（例えば、ジ−Ｄ−マンデル酸）、
［２−（４−クロロ−ベンジルオキシ）−エチル］−［２−（（Ｒ）−シクロヘキシル−ヒドロキシ−フェニル−メチル）−オキサゾール−５−イルメチル］−ジメチル−アンモニウム塩（例えば、ヘミ−ナフタレン−１，５−ジスルホン酸塩）、
（Ｒ）−１−［２−（４−フルオロ−フェニル）−エチル］−３−（（Ｓ）−２−フェニル−２−ピペリジン−１−イル−プロピオニルオキシ）−１−アゾニア−ビシクロ［２．２．２］オクタン塩（例えば、臭化物またはトルエンスルホン酸塩）、或いは、
これらのいずれか２つ以上の組み合わせから選択される活性成分を含む、請求項１〜１０のいずれか一項に記載の吸入器。
【請求項１２】
出口、医薬を含む一連の密閉区画と、前記出口に位置合わせされた前記密閉区画を開放するための開放機構とを備えた吸入器を準備する方法であって、
前記開放機構が無負荷位置に向かって付勢される付勢位置に前記開放機構を移動させるステップと、
前記開放機構の前記移動の後に次の区画を前記出口に位置合わせするステップと、
前記次の区画の位置合わせの後に前記開放機構を該開放機構の付勢位置にラッチするステップと、を含む、方法。
【請求項１３】
請求項１２に記載の準備する方法を含む、吸入器から医薬を投与する方法であって、
前記開放機構のラッチの解除を作動させるために吸入器を介して気流を供給するステップと、
前記気流に応答して前記開放機構のラッチを解除して、前記開放機構が該開放機構の無負荷位置に移動できるようにするステップと、
前記開放機構の該開放機構の無負荷位置への移動の際に、前記出口に位置合わせされた前記密閉区画を開放するステップと、
前記気流に引き込まれた医薬を投与するステップと、をさらに含む、方法。
【請求項１４】
請求項１に記載の吸入器を用いてヒトを治療する方法。